(57)【要約】【課題】注水蓋体の給水路に残った残水が、運転後に液体仕上剤収容部に滴下するのを抑制する。【解決手段】注水蓋体３０は、液体仕上剤収容部２４に給水する注水口３３が形成された第２の給水路３１ｂに、液体仕上剤収容部２４の外に通じる水量制御孔３６を有する水量制御部３５を形成し、水量制御部３５は給水弁７と注水口３３との間に配置されるとともに、水量制御孔３６は注水口３３の高さより低い位置に設け、水量制御部３５の水量制御孔３６は鉛直方向に対し斜めに傾斜させた開口を備え、前記構成において水量制御部３５と注水口３３の間に第２の給水路３１ｂに貯まっている水が自然圧で注水口３３側に流出しないような仕切り壁を設け、かつ仕切り壁の頂点に空気孔を備え、液体仕上剤収容部に残水滴下するのを抑制する。【選択図】図５
2019180594.tif 000002
【特許請求の範囲】
【請求項１】
筺体と、前記筺体内に揺動自在に防振支持された水槽と、前記筺体に配設された洗剤や液剤が収容可能な洗剤収容容器と、前記洗剤収容容器に給水するための給水路が配管された注水蓋体と、前記給水路と接続された給水弁と、前記洗剤収容容器に設けられた液体仕上剤を投入する液体仕上剤収容部と、前記液体仕上剤収容部内の液体仕上剤を含む液体がサイフォンの原理で前記水槽内に排出される液体仕上剤投入路とを備え、前記注水蓋体は、前記液体仕上剤収容部に給水する注水口が形成された給水路に、前記液体仕上剤収容部の外に通じる水量制御孔を有する水量制御部を形成し、前記水量制御部は、前記給水弁と前記注水口との間に配置され、前記給水弁及び前記水量制御部と注水口との間に仕切り壁を設けたことを特徴とする洗濯機。
【請求項２】
前記仕切り壁は、給水路の空間高さよりも高く設定したことを特徴とする請求項１に記載の洗濯機。
【請求項３】
前記仕切り壁の頂点に大気開放となる空気孔を設けたことを特徴とする請求項２に記載の洗濯機。
【請求項４】
前記仕切り壁及び空気孔の下流には、液体仕上剤収容部に注水される注水路及び注水口を構成したことを特徴とする請求項１から３のいずれか１項に記載の洗濯機。
【発明の詳細な説明】
【技術分野】
【０００１】
本発明は、洗濯物を洗濯する洗濯機に関するものである。
【背景技術】
【０００２】
従来、この種の洗濯機は、複数の洗剤や液剤を投入する洗剤収納容器を備え、運転開始に先立ち、洗剤収納容器内に洗剤や、仕上剤等を予め投入しておく構成が提案されている（例えば、特許文献１参照）。
【０００３】
図７は、従来の洗濯機の縦断面図、図８は、従来の洗濯機の洗剤投入部の概略構造を説明するための斜視図、図９は、給水部の構造を説明するための平面図、図１０は、洗剤収容容器および給水部の概略構造を説明するための一部を破断した側面図である。
【０００４】
図７、図８、図９、図１０において、洗濯機１０１は、筐体２内に図示しないサスペンション構造によって水槽３が揺動自在に防振支持され、水槽３内に有底円筒形に形成された洗濯兼脱水槽である回転ドラム４が軸心方向を正面側から背面側に向けて下向きに傾斜させて配設されている。回転ドラム４は、水槽３の背面側に取り付けられたモータ６によって前上がりに傾斜した回転軸を中心に正転及び逆転方向に回転駆動される。
【０００５】
筐体２の上部に、洗剤投入部１２０が配設されている。洗剤投入部１２０は、洗剤を収容する洗剤収容容器１２１と、給水弁７に接続されて、洗剤収容容器１２１に給水する給水路１３１と、断面視略コ字状に形成された洗剤投入部枠体１４０とを備えている。洗剤投入部枠体１４０は、上面に注水蓋体１３０を固定するとともに、注水蓋体１３０との間に形成された空間部１４０ｄに洗剤収容容器１２１を引き出し自在に収納している。
【０００６】
洗剤投入部枠体１４０は、底部に洗剤液供給路１４１が形成されている。洗剤収容容器１２１に収容された洗剤に注水蓋体１３０から水が供給されて混合される。洗剤に水が混合された各種の洗剤混合液は、洗剤液供給路１４１および洗剤液供給路１４１に接続された給水経路２６を経由して、水槽３内に送給される。
【０００７】
洗剤収容容器１２１には、粉末合成洗剤を収容する粉末洗剤収容部１２２と、液体洗剤や液体漂白剤を収容する液体洗剤収容部１２３と、液体仕上剤を収容する液体仕上剤収容部１２４とを備えて構成されている。
【０００８】
収容部蓋板１２５が、液体洗剤収容部１２３と液体仕上剤収容部１２４の上方を覆っており、収容部蓋板１２５には、液体洗剤収容部１２３と液体仕上剤収容部１２４に対向する位置に、それぞれ液体洗剤受入口１２５ａと液体仕上剤受入口１２５ｂとが開口されている。
【０００９】
液体洗剤収容部１２３と液体仕上剤収容部１２４の底部には、それぞれ管状の液体洗剤投入口１２３ｂと液体仕上剤投入口１２４ｂが上方にむけて立設されている。収容部蓋板１２５には、それぞれ液体洗剤投入口１２３ｂと液体仕上剤投入口１２４ｂを外方より覆い、下端が液体洗剤収容部１２３と液体仕上剤収容部１２４の底面に達する円筒形状の一対の管状突出部１２５ｃが下方に向けて形成されている。
【００１０】
注水蓋体１３０の下面には、給水路１３１を経て、液体洗剤投入部１２３に注水する注水口１３４と、液体仕上剤収容部１２４に注水する注水口１３５が形成されている。
【００１１】
このように構成された洗剤投入部１２０では、洗い工程において、注水口１３４から液体洗剤受入口１２５ａを介して液体洗剤収容部１２３に注水される。そして、液体洗剤収容部１２３で液体洗剤を希釈拡散した洗剤液は、管状突出部１２５ｃと液体洗剤投入口１２３ｂとの間に形成された隙間を介して、サイフォンの原理により液体洗剤投入口１２３ｂに導入され、その下流側に形成された洗剤液供給路１４１を経由して、水槽３内に送給される。
【００１２】
また、すすぎ工程においては、注水口１３５から液体仕上剤受入口１２５ｂを介して液体仕上剤収容部１２４に注水され、液体仕上剤収容部１２４で液体仕上剤を希釈拡散した仕上液は、同様に、管状突出部１２５ｃと液体仕上剤投入口１２４ｂとの間に形成された隙間を介して、液体仕上剤投入口１２４ｂに導入され、その下流側に形成された洗剤液供給路１４１を経由して、水槽３内に送給される。
【先行技術文献】
【特許文献】
【００１３】
【特許文献１】特開２００８−９９９１９号公報
【発明の概要】
【発明が解決しようとする課題】
【００１４】
しかしながら、前記従来の構成では、注水終了後に注水蓋体の給水路に残った残水が、脱水時の振動などにより注水口部に流れる場合がある。それにより、サイフォン終了後の洗剤収容部に経路内残水が滴下し、留水するということがあった。
【００１５】
サイフォン方式の液体洗剤収容部および液体仕上剤収容部に多くの残水が滴下して留水している場合、使用者に液体洗剤および液体仕上剤が水槽内に適切に投入されていないと勘違いされる、もしくは次回洗濯機使用時に、液体洗剤および液体仕上剤を投入すると同時にサイフォン現象で流れるという課題があった。
【００１６】
本発明は、前記従来の課題を解決するもので、注水終了後に液体洗剤収容部および液体仕上剤収容部に残水が滴下するのを抑制でき、液体洗剤および液体仕上剤投入を適切に行うことができる洗濯機を提供することを目的とする。
【課題を解決するための手段】
【００１７】
上記目的を達成するために、本発明の洗濯機は、筺体と、前記筺体内に揺動自在に防振支持された水槽と、前記筺体に配設された洗剤や液剤が収容可能な洗剤収容容器と、前記洗剤収容容器に給水するための給水路が配管された注水蓋体と、前記給水路と接続された給水弁と、前記洗剤収容容器に設けられた液体仕上剤を投入する液体仕上剤収容部と、前記液体仕上剤収容部内の液体仕上剤を含む液体がサイフォンの原理で前記水槽内に排出される液体仕上剤投入路とを備え、前記注水蓋体は、前記液体仕上剤収容部に給水する注水口が形成された給水路に、前記液体仕上剤収容部の外に通じる水量制御孔を有する水量制御部を形成し、前記水量制御部は、前記給水弁と前記注水口との間に配置され、前記給水弁及び水量制御部と注水口との間に仕切り壁を設けるものである。
【００１８】
これにより、液体仕上剤収容部に給水終了時、最下方の位置に設けられた水量制御孔より、注水蓋体の給水路の残水は最も多く液体仕上剤収容部の外に排出される。このとき、給水弁が閉じられており、密閉であるため、注水蓋体の給水路は負圧となり、負圧解除のため注水口より空気が流入し、水量制御部の水量制御孔の方に水が流れる。従って、注水蓋体の給水路に残った残水は、注水口へ流れることはなく、液体仕上剤収容部に残水が滴下することを抑制できる。
【発明の効果】
【００１９】
本発明の洗濯機は、サイフォン方式を用いた液体仕上剤収容部に、給水路に残った残水が滴下し、留水するのを抑制でき、液体洗剤および液体仕上剤投入を適切に行うことができる。
【図面の簡単な説明】
【００２０】
【図１】本発明の実施の形態におけるドラム式洗濯機の縦断面図
【図２】同洗剤投入部枠体部分の側面断面図
【図３】同洗剤投入部枠体部分の分解斜視図
【図４】同洗剤投入部枠体部分の図３のＡ部詳細平面図
【図５】同液体投入部枠体部分の要部断面図
【図６】同液体仕上剤収容部水量制御部の水流の流れを説明するための要部断面図
【図７】従来のドラム式洗濯機の縦断面図
【図８】従来の洗剤投入部の概略構造を説明するための斜視図
【図９】従来の給水部の構造を説明するための平面断面図
【図１０】従来の洗剤収容容器および給水部の概略構造を説明するための側面断面図
【発明を実施するための形態】
【００２１】
第１の発明は、筺体と、前記筺体内に揺動自在に防振支持された水槽と、前記筺体に配設された洗剤や液剤が収容可能な洗剤収容容器と、前記洗剤収容容器に給水するための給水路が配管された注水蓋体と、前記給水路と接続された給水弁と、前記洗剤収容容器に設けられた液体仕上剤を投入する液体仕上剤収容部と、前記液体仕上剤収容部内の液体仕上剤を含む液体がサイフォンの原理で前記水槽内に排出される液体仕上剤投入路とを備え、前記注水蓋体は、前記液体仕上剤収容部に給水する注水口が形成された給水路に、前記液体仕上剤収容部の外に通じる水量制御孔を有する水量制御部を形成し、前記水量制御部は、前記給水弁と前記注水口との間に配置され、前記給水弁及び水量制御部と注水口との間に仕切り壁を設けるものである。
【００２２】
これにより、液体仕上剤収容部に給水終了時、最下方の位置に設けられた水量制御孔より、注水蓋体の給水路の残水は最も多く液体仕上剤収容部の外に排出される。このとき、給水弁が閉じられており、密閉であるため、注水蓋体の給水路は負圧となり、負圧解除のため注水口より空気が流入し、水量制御部の水量制御孔の方に水が流れる。従って、注水蓋体の給水路に残った残水は、注水口へ流れることはなく、液体仕上剤収容部に残水が滴下することを抑制できる。
【００２３】
但し、上記構成においても、給水路の樹脂の表面状態や水の粘性、内部圧力の関係により、表面張力や分子間力が異なる状態が発生し、水量制御孔から確実に水が流れ出ず、給水路内に残水を引き起こす現象があった。
【００２４】
本発明では、そのような状態が発生した場合においても、仕切り壁により注水口側に水が流れることはなく、また、仕切り壁の頂点に空気孔があることにより、空気置換を確実に行われ、注水口側に残水があったとしても空気孔に流れ込むことはなく、液体仕上剤収容部に残水が滴下することを抑制できる。
【００２５】
給水終了時、注水蓋体の給水路の残水は、給水路の最下方の位置に設けられた水量制御孔より、最も多く液体仕上剤収容部の外に排出される。このとき、給水弁が閉じられており、密閉であるため、注水蓋体の給水路は負圧となり、負圧解除のために注水口より空気が流入し、水量制御部の水量制御孔の方に水が流れる。従って、注水蓋体の給水路に残った残水は、注水口へ流れることはなく、液体仕上剤収容部に残水が滴下することを防止できる。
【００２６】
水量制御部は、先端に向かって細くなる略円錐形状に形成した構成としているので、注水蓋体の水量制御孔からの残水排出時、水量制御孔先端からの大気侵入を阻止することとなり、水量制御孔からの負圧解除がなく、注水口よりの空気流入が円滑に図られ、注水蓋体の注水口より残水が滴下することを防止できる。
【００２７】
特に、水量制御部の水量制御孔は、鉛直方向に対して斜めに傾斜させた開口を備え、液体仕上剤収容部の液体仕上剤を含む液体がサイフォンの原理で水槽内に排出される液体仕上剤投入路の斜め後方に向けて形成した構成としている。これにより、水槽内に排出される液体仕上剤投入路を流れる液体仕上剤を含む液体に阻害されることなく、注水蓋体の給水路に残った残水を水量制御孔からの円滑に排出され、注水蓋体の注水口より残水が滴下することを防止できる。
【００２８】
以下、本発明の実施の形態について、図面を参照しながら説明する。なお、従来例と同じ構成のものは同一符号を付して説明を省略する。また、この実施の形態によって本発明が限定されるものではない。
【００２９】
（実施の形態１）
図１は、本発明の実施の形態におけるドラム式洗濯機の縦断面図である。
【００３０】
図２は、本発明の実施の形態における洗剤投入部枠体部分の側面断面図、図３は、同洗剤投入部枠体部分の構造の分解斜視図、図４は、図３におけるＡ部拡大図、図５は、液体仕上剤収容部注水口の要部断面図、図６は、液体仕上剤収容部水量制御部の水流の流れを説明するための要部断面図である。
【００３１】
なお、図３の分解斜視図は、洗剤投入部枠体４０から、洗剤収容容器２１を所定位置以上に引き出し、かつ、注水蓋体３０を上方に取り外した分解状態を示している。
【００３２】
図１、図２、図３、図４、図５、図６において、筐体２の上部には、上方に開口を有する有底の断面略コの字状箱体の洗剤投入部枠体４０が配設されている。洗剤投入部枠体４０の底部には、洗剤液供給路４１が一体形成され、洗剤液供給路４１に水槽３と連通する給水経路２６が接続配管されている。
【００３３】
洗剤投入部枠体４０の上方には、注水蓋体３０が配設されている。注水蓋体３０は、ポリプロピレン樹脂等で形成した下ケースと上ケースとから構成され、上ケースと下ケースは、溶着により一体に形成される。注水蓋体３０の内部には、水の通水路となる通水空間部３７が形成され、通水空間部３７には、粉末洗剤収容部２２および液体洗剤収容部２３に水を供給する第１の給水路３１ａと、液体仕上剤収容部２４に水を供給する第２の給水路３１ｂとを形成している。通水空間部３７の底面に注水口３３を形成している。
【００３４】
注水蓋体３０は、給水弁７に接続されている。洗い時には、注水蓋体３０の第１の給水路３１ａから粉末洗剤収容部２２および液体洗剤収容部２３に給水され、すすぎ時には、第２の給水路３１ｂから液体仕上剤収容部２４に給水される。
【００３５】
尚、注水口３３は、複数個の小孔により構成してもよい。
【００３６】
洗剤投入部枠体４０と注水蓋体３０とにより囲まれた空間部４０ｄには、洗剤収容容器２１が引き出し自在に収納されている。洗剤収容容器２１には、粉末合成洗剤を収容する粉末洗剤収容部２２と、液体洗剤や液体漂白剤を収容する液体洗剤収容部２３と、液体仕上剤を収容する液体仕上剤収容部２４とが併設される。
【００３７】
粉末洗剤収容部２２の下流側には、粉末洗剤投入路２２ａが形成されている。液体洗剤収容部２３の下流側外底部には、液体洗剤投入路２３ａが形成されている。液体仕上剤収容部２４の外底部下流側には、液体仕上剤投入路２４ａが形成されている。
【００３８】
注水蓋体３０の注水口３３から洗剤収容容器２１に収容された洗剤（粉末合成洗剤、液体洗剤、液体仕上剤など）に水が滴下する。洗剤投入部枠体４０には、底部に洗剤液供給路４１を一体形成しており、水が混合された各種の洗剤混合液は、洗剤液供給路４１および洗剤液供給路４１に接続された給水経路２６を経由して、水槽３内に供給される。
【００３９】
液体仕上剤収容部２４は、上方の開口を収容部蓋板２５により覆われている。収容部蓋板２５には、液体仕上剤収容部２４に対向する位置に、液体仕上剤を投入する液体仕上剤受入口２５ｂを開口している。液体仕上剤収容部２４の底部には、管状の液体仕上剤投入口２４ｂが上方にむけて立設されており、液体仕上剤投入口２４ｂは、下端部を液体仕上剤投入路２４ａに向けて開口している。収容部蓋板２５には、円筒形状の管状突出部２５ｃが下方に向けて垂下形成されており、筒状突出部２５ｃは、液体仕上剤投入口２４ｂを外方より覆い、下端が液体仕上剤収容部２４の底面に達する長さに形成される。
【００４０】
注水蓋体３０には、第２の給水路３１ｂの給水弁７と注水口３３との間に残水抜き用の水量制御部３５が設けられ、水量制御部３５は、液体仕上剤収容部２４の外に通じている。
【００４１】
水量制御部３５は、水量制御凹部４２を備えており、水量制御凹部４２は、先端に向かって漸次細くなる略円錐形状に形成され、水量制御凹部４２の底部の注水口３３より下方位置に水量制御孔３６が形成されている。水量制御凹部４２は、水量制御凹部４２の長辺径の２倍以上の高さに設定されている。
【００４２】
第２の給水路３１ｂからの主開口は、水量制御部３５と注水口３３の２ヶ所である。
【００４３】
図４に示すように、注水口３３は、仕切り壁５１及び空気孔５０の下流に構成され、注水口３３側の閉空間は、注水に必要な最小限の面積で構成されている。
【００４４】
図５は、注水口３３の上流に設けた仕切り壁５１及び空気孔５０の断面形状を示し、仕切り壁５１は、高さを図５中にＳにて示しており、給水弁７からつながる第２の給水路３１ｂの空間高さＨ、または注水蓋体３０の天面壁よりも高い位置まで延設している。
【００４５】
以上のように構成されたドラム式洗濯機について、以下その動作、作用を説明する。
【００４６】
洗い工程が終わった後のすすぎ工程において、注水口３３から液体仕上剤受入口２５ｂを介して液体仕上剤収容部２４に注水される。注水された水により、スタート前に予め液体仕上剤収容部２４に投入された液体仕上剤が希釈拡散した状態の仕上液となる。仕上液は、管状突出部２５ｃと液体仕上剤投入口２４ｂとの間に形成された隙間を介して、サイフォンの原理により液体仕上剤投入口２４ｂに導入され、液体仕上材投入口２４ｂの下流側に形成された洗剤液供給路４１を経由して、水槽３内に送給される。
【００４７】
そして、サイフォンの原理による供給終了後に、注水蓋体３０の第２の給水路３１ｂに残った残水は、最下方に配置された水量制御部３５の水量制御孔３６より液体仕上剤収容部２４よりも外に排出される。このとき、注水蓋体３０の給水路は、給水弁７が閉じられており、密閉であるため、負圧となり、負圧解除のため、注水口３３より空気が流入し、水量制御部３５の方に水が流れる。従って、注水蓋体３０の給水路に残った残水は、注水
口３３へ流れることはなく、液体仕上剤収容部２４に残水が滴下することを防止できる。
【００４８】
以上のように、本実施の形態においては、注水蓋体３０は、液体仕上剤収容部２４に給水する注水口３３が形成された第２の給水路３１ｂに、液体仕上剤収容部２４の外に通じる水量制御孔３６を有する水量制御部３５を形成している。水量制御部３５は、給水弁７と注水口３３との間に配置するとともに、水量制御孔３６は、注水口３３の高さより低い位置に設けている。水量制御部３５は、水量制御孔３６を底部に形成した水量制御凹部４２を設け、水量制御凹部４２の高さは水量制御凹部４２の長辺径の２倍以上に設定することにより、第２の給水路３１ｂに残った残水が、液体仕上剤収容部２４に滴下することを防止できる。
【００４９】
また、水量制御部３５は、先端に向かって細くなる略円錐形状に形成された水量制御凹部４２の底部に水量制御孔３６を形成している。これにより、注水蓋体３０の水量制御孔３６からの残水排出時、水量制御孔３６先端からの大気侵入を阻止することとなり、水量制御孔３６からの負圧解除がなく、注水口３３よりの空気流入が円滑に図られ、注水蓋体３０の注水口３３より残水が滴下することを防止できる。
【００５０】
水量制御部３５の水量制御孔３６は、鉛直方向に対して斜めに傾斜させた開口を備えている。水量制御部３５の水量制御孔３６は、液体仕上剤収容部２４の液体仕上剤を含む液体がサイフォンの原理で水槽３内に排出される。水量制御部３５の水量制御孔３６は、開口を液体仕上剤投入路２４ａの斜め後方に向けた構成としている。これにより、水槽３内に排出される液体仕上剤投入路２４ａを流れる液体仕上剤を含む液体に阻害されることなく、注水蓋体３０の第２の給水路３１ｂに残った残水が水量制御孔３６から円滑に排出され、注水蓋体３０の注水口３３より残水が滴下することを防止できる。
【００５１】
但し、上記構成においても、第２の給水路３１ｂの表面状態や給水の粘度、表面張力により、負圧解除を発生させる現象が起きる可能性があり、第２の給水路３１ｂに残水を発生させ、注水口３３より給水終了後及び洗濯機運転終了後に注水口３３より残水滴下することが想定された。
【００５２】
本発明においては、上記負圧構成に加え、水量制御孔３６から確実に残水流出を行うために、注水蓋体のより高い位置に空気を導入する空気孔５０を設けている。また、万が一残水が発生しても、注水口３３より残水滴下しない仕切り壁５１を第２の給水路３１ｂの空間高さ、または、天面壁よりも高い位置まで伸ばした寸法に形成している。これにより、経年変化等により初期状態から想定外の変化が起きても、注水口３３からの残水滴下を防止することを実現した。
【００５３】
なお、本実施の形態は、ドラム式洗濯機に基づいて説明したが、縦型洗濯機に採用してもよい。
【産業上の利用可能性】
【００５４】
以上のように、本発明にかかる洗濯機は、注水蓋体の構成により、給水路に残った残水が、脱水時の振動などでサイフォン方式を用いた洗剤収容部に滴下するのを防止できるため、サイフォン方式の洗剤収容部を持つ洗剤収容容器を備えたドラム式洗濯機のみならず、縦型洗濯機など他の洗濯機や、洗濯乾燥機の用途に適用できる。
【符号の説明】
【００５５】
２  筐体
３  水槽
４  回転ドラム
７  給水弁
２１  洗剤収容容器
２４  液体仕上剤収容部
２４ａ  液体仕上剤投入路
３０  注水蓋体
３１ａ  第１の給水路
３１ｂ  第２の給水路
３３  注水口
３５  水量制御部
３６  水量制御孔
４０  洗剤投入部枠体
４２  水量制御凹部
５０  空気孔
５１  仕切り壁
【図１】
2019180594.tif 000003
【図２】
2019180594.tif 000004
【図３】
2019180594.tif 000005
【図４】
2019180594.tif 000006
【図５】
2019180594.tif 000007
【図６】
2019180594.tif 000008
【図７】
2019180594.tif 000009
【図８】
2019180594.tif 000010
【図９】
2019180594.tif 000011
【図１０】
2019180594.tif 000012